【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
システムであって、
少なくともＭ個に達する複数の書き込み変換器、および少なくともＭ個に達する複数の読み出し変換器とを有する磁気ヘッドであって、各読み出し変換器が、順次アクセス媒体からデータを、対応する書き込み変換器によって書き込まれた後に読み出すように構成されている、前記磁気ヘッドと、
コントローラと、前記コントローラと一体化された、または前記コントローラによって実行可能な、あるいはその両方である論理回路とを備え、前記論理回路が、
前記複数のＭ個の書き込み変換器を使用して、データ・セットを順次アクセス媒体に書き込むように構成され、前記データ・セットが、いくつかの固定サイズのサブ・データ・セットを含み、各サブ・データ・セットが、インターリーブまたは非インターリーブ配置の符号語を含む複数の符号化データ・ブロックを含み、各符号語が、シンボルごとに少なくとも８ビットのサイズを有する所定の数のシンボルを含み、前記論理回路がさらに、
前記複数のＭ個の読み出し変換器を使用して、前記データ・セットを、記録時再生処理で前記順次アクセス媒体に書き込まれた直後に読み出して、誤りのある１つまたは複数の符号化データ・ブロックを識別するように構成され、誤りのある前記１つまたは複数の符号化データ・ブロックのそれぞれが、誤りのある少なくとも１つの符号語を含み、前記論理回路がさらに、
誤りのある前記符号化データ・ブロックを書き換えるために、特定の論理トラックを、前記順次アクセス媒体の書き換え領域内の論理トラックの所定のサブセットから選択するように構成され、前記書き換え領域が、前記順次アクセス媒体に最初に書き込まれる前記データ・セットの位置の次に配置されており、論理トラックの前記所定のサブセットがＤ１＋Ｄ２＋１の論理トラックを含み、０＜Ｄ１＋Ｄ２＜Ｍ／４であり、前記論理回路がさらに、
第１の符号化データ・ブロック・セット内の誤りのある前記１つまたは複数の符号化データ・ブロックの第１のものを、前記順次アクセス媒体の前記書き換え領域内の前記特定の論理トラックに書き換えるように構成され、特定のサブ・データ・セットからの誤りのあるただ１つの符号化データ・ブロックが、前記書き換え領域内の単一の符号化データ・ブロック・セットで書き換えられる、システム。
【請求項２】
前記シンボルのそれぞれはサイズが１０ビットであり、前記論理回路がさらに、
第２の論理トラックを、前記順次アクセス媒体の前記書き換え領域内の論理トラックの前記所定のサブセットから選択するように、かつ、
前記第１の符号化データ・ブロック・セット内の誤りのある前記１つまたは複数の符号化データ・ブロックの第２のものを、誤りのある前記１つまたは複数の符号化データ・ブロックの前記第１のものが、誤りのある前記１つまたは複数のデータ・ブロックの前記第２のものと異なるサブ・データ・セットからのものであることに応じて、前記第２の論理トラックに書き換えように構成される、請求項１に記載のシステム。
【請求項３】
論理トラックの前記所定のサブセットのそれぞれが、Ｄ１＝１およびＤ２＝１に対応して３つの論理トラックを連続して含む、請求項１に記載のシステム。
【請求項４】
論理トラックの前記所定のサブセットのそれぞれが、Ｄ１＝２およびＤ２＝２に対応して５つの論理トラックを連続して含む、請求項１に記載のシステム。
【請求項５】
各符号化データ・ブロックが、ガロア体ＧＦ（２５６）にわたり４つのシンボル・インターリーブされたリードソロモンＲＳ（２４０，２２８）Ｃ１符号語として前記順次アクセス媒体に書き込まれる、請求項１に記載のシステム。
【請求項６】
各符号化データ・ブロックが、ガロア体ＧＦ（１０２４）にわたり２つのシンボル・インターリーブされたリードソロモンＲＳ（３８４，３６４）Ｃ１符号語として前記順次アクセス媒体に書き込まれる、請求項１に記載のシステム。
【請求項７】
各符号化データ・ブロックが、ガロア体ＧＦ（１０２４）にわたり１つのリードソロモンＲＳ（７６８，７２８）Ｃ１符号語として前記順次アクセス媒体に書き込まれる、請求項１に記載のシステム。
【請求項８】
前記論理回路はさらに、前記順次アクセス媒体から読み出された前記データ・セットを復号して、誤りのある前記１つまたは複数の符号化データ・ブロックを決定するように構成され、符号化データ・ブロックが、前記符号化データ・ブロックが復号された後の閾数の誤りの検出に応じて、誤りがあると決定される、請求項１に記載のシステム。
【請求項９】
方法であって、
磁気ヘッドの複数の少なくともＭ個の書き込み変換器を使用して、データ・セットを順次アクセス媒体に書き込むことを含み、前記データ・セットが、いくつかの固定サイズのサブ・データ・セットを含み、各サブ・データ・セットが、インターリーブまたは非インターリーブ配置の符号語を含む複数の符号化データ・ブロックを含み、各符号語が、シンボルごとに少なくとも８ビットのサイズを有する所定の数のシンボルを含み、前記方法がさらに、
前記磁気ヘッドの複数の少なくともＭ個の読み出し変換器を使用して、前記データ・セットを、記録時再生処理で前記順次アクセス媒体に書き込まれた直後に読み出して、誤りのある１つまたは複数の符号化データ・ブロックを識別することを含み、誤りのある前記１つまたは複数の符号化データ・ブロックのそれぞれが、誤りのある少なくとも１つの符号語を含み、前記方法がさらに、
誤りのある前記符号化データ・ブロックを書き換えるために、特定の論理トラックを、前記順次アクセス媒体の書き換え領域内の論理トラックの所定のサブセットから選択することを含み、前記書き換え領域が、前記順次アクセス媒体に最初に書き込まれる前記データ・セットの位置の次に配置されており、論理トラックの前記所定のサブセットがＤ１＋Ｄ２＋１の論理トラックを含み、０＜Ｄ１＋Ｄ２＜Ｍ／４であり、前記方法がさらに、
第１の符号化データ・ブロック・セット内の誤りのある前記１つまたは複数の符号化データ・ブロックの第１のものを、前記順次アクセス媒体の前記書き換え領域内の前記特定の論理トラックに書き換えることを含み、特定のサブ・データ・セットからの誤りのあるただ１つの符号化データ・ブロックが、前記書き換え領域内の単一の符号化データ・ブロック・セットで書き換えられる、方法。
【請求項１０】
前記シンボルのそれぞれはサイズが１０ビットであり、前記方法がさらに、
第２の論理トラックを、前記順次アクセス媒体の前記書き換え領域内の論理トラックの前記所定のサブセットから選択すること、および
前記第１の符号化データ・ブロック・セット内の誤りのある前記１つまたは複数の符号化データ・ブロックの第２のものを、誤りのある前記１つまたは複数の符号化データ・ブロックの前記第１のものが、誤りのある前記１つまたは複数のデータ・ブロックの前記第２のものと異なるサブ・データ・セットからのものであることに応じて、前記第２の論理トラックに書き換えことを含む、請求項９に記載の方法。
【請求項１１】
論理トラックの前記所定のサブセットのそれぞれが、Ｄ１＝１およびＤ２＝１に対応して３つの論理トラックを連続して含む、請求項９に記載の方法。
【請求項１２】
論理トラックの前記所定のサブセットのそれぞれが、Ｄ１＝２およびＤ２＝２に対応して５つの論理トラックを連続して含む、請求項９に記載の方法。
【請求項１３】
各符号化データ・ブロックが、ガロア体ＧＦ（２５６）にわたり４つのシンボル・インターリーブされたリードソロモンＲＳ（２４０，２２８）Ｃ１符号語として前記順次アクセス媒体に書き込まれる、請求項９に記載の方法。
【請求項１４】
各符号化データ・ブロックが、ガロア体ＧＦ（１０２４）にわたり２つのシンボル・インターリーブされたリードソロモンＲＳ（３８４，３６４）Ｃ１符号語として前記順次アクセス媒体に書き込まれる、請求項９に記載の方法。
【請求項１５】
各符号化データ・ブロックが、ガロア体ＧＦ（１０２４）にわたり１つのリードソロモンＲＳ（７６８，７２８）Ｃ１符号語として前記順次アクセス媒体に書き込まれる、請求項９に記載の方法。
【請求項１６】
前記順次アクセス媒体から読み出された前記データ・セットを復号して、誤りのある前記１つまたは複数の符号化データ・ブロックを決定することをさらに含み、符号化データ・ブロックが、前記符号化データ・ブロックが復号された後の閾数の誤りの検出に応じて、誤りがあると決定される、請求項９に記載の方法。
【請求項１７】
請求項９〜１６の何れか１項に記載の方法の各ステップをコンピュータに実行させる、コンピュータ・プログラム。
【請求項１８】
請求項１７に記載の前記コンピュータ・プログラムをコンピュータ可読記憶媒体に記録した、記憶媒体。